(57)【要約】  無線通信装置（１０）は、エレベータを呼び出すための呼び出しボタン（１）に接続されている。呼び出しボタン押下検出部（１０１）は、呼び出しボタンの押下を検出する。スリープ制御部（１０６）は、呼び出しボタン押下検出部（１０１）による呼び出しボタン（１）の押下の検出まで無線通信装置（１０）をスリープ状態にし、呼び出しボタン押下検出部（１０１）により呼び出しボタン（１）の押下が検出された際に無線通信装置（１０）を起床状態にし、エレベータの到着に対応して行われる処理であるエレベータ到着処理が完了した後に無線通信装置（１０）をスリープ状態にする。
2018116450.tif 000002
【特許請求の範囲】
【請求項１】
エレベータを呼び出すための呼び出しボタンに接続される無線通信装置であって、
前記呼び出しボタンの押下を検出する呼び出しボタン押下検出部と、
前記呼び出しボタン押下検出部による前記呼び出しボタンの押下の検出まで前記無線通信装置をスリープ状態にし、前記呼び出しボタン押下検出部により前記呼び出しボタンの押下が検出された際に前記無線通信装置を起床状態にし、前記エレベータの到着に対応して行われる処理であるエレベータ到着処理が完了した後に前記無線通信装置をスリープ状態にするスリープ制御部とを有する無線通信装置。
【請求項２】
前記スリープ制御部は、
前記呼び出しボタンの押下の検出から前記エレベータ到着処理の完了までの間、前記無線通信装置を起床状態にしておく請求項１に記載の無線通信装置。
【請求項３】
前記スリープ制御部は、
前記呼び出しボタンの押下の検出から前記エレベータ到着処理の完了までの間で、前記無線通信装置を少なくとも１回スリープ状態にする請求項１に記載の無線通信装置。
【請求項４】
前記スリープ制御部は、
前記呼び出しボタンの押下の検出により前記無線通信装置を起床状態にした後、前記無線通信装置をスリープ状態にすることと前記無線通信装置を起床状態にすることとを繰り返す請求項３に記載の無線通信装置。
【請求項５】
前記スリープ制御部は、
前記無線通信装置を起床状態にする度に前記無線通信装置が起床状態であることを通知する起床通知を、エレベータ制御盤に接続される無線通信機器に送信する請求項４に記載の無線通信装置。
【請求項６】
前記スリープ制御部は、
前記起床通知に応答して前記無線通信機器から送信された通知に対応して行われる処理が完了するまで前記無線通信装置を起床状態にしておく請求項５に記載の無線通信装置。
【請求項７】
前記スリープ制御部は、
前記無線通信装置をスリープ状態にしておくことが可能な時間であるスリープ時間が通知され、前記スリープ時間の通知から前記スリープ時間の間、前記無線通信装置をスリープ状態にしておき、前記スリープ時間が経過した際に前記無線通信装置を起床状態にする請求項３に記載の無線通信装置。
【請求項８】
前記スリープ制御部は、
エレベータ制御盤に接続される無線通信機器から前記スリープ時間が通知される請求項７に記載の無線通信装置。
【請求項９】
前記スリープ制御部は、
前記無線通信装置が起床状態にあるときに前記スリープ時間が通知され、通知された前記スリープ時間が閾値未満である場合に、前記無線通信装置をスリープ状態にせずに起床状態のままにしておく請求項７に記載の無線通信装置。
【請求項１０】
エレベータを呼び出すための呼び出しボタンに接続される無線通信装置に、
前記呼び出しボタンの押下を検出する呼び出しボタン押下検出処理と、
前記呼び出しボタン押下検出処理による前記呼び出しボタンの押下の検出まで前記無線通信装置をスリープ状態にし、前記呼び出しボタン押下検出処理により前記呼び出しボタンの押下が検出された際に前記無線通信装置を起床状態にし、前記エレベータの到着に対応して行われる処理であるエレベータ到着処理が完了した後に前記無線通信装置をスリープ状態にするスリープ制御処理とを実行させる制御プログラム。
【発明の詳細な説明】
【技術分野】
【０００１】
本発明は、エレベータシステムに関する。
【背景技術】
【０００２】
エレベータシステムでは、利便性の向上、デザインの向上、セキュリティシステムとの連携等を目的に、エレベータ呼び出しボタン（以降、呼び出しボタンという）がエレベータ本体から離れた場所に呼び出しボタン盤として設置されることがある。
このように呼び出しボタン盤がエレベータ本体から離れた場所に設置される場合は、設置自由度の向上、配線工数削減等のために、通信線や電源線が不要となる構成が望まれる。そのため、呼び出しボタン盤とエレベータ本体との間の通信の無線化、バッテリー等による電源供給が求められる。
呼び出しボタン盤に無線通信機能を搭載しバッテリー等で長時間動作させるためには、間欠制御通信を適用した無線通信装置の適用が必要となる。間欠制御通信とは、無線通信装置がスリープと起床とを繰り返し、起床中にのみ通信を実行し、それ以外の時間をスリープすることで低消費電力化を実現するものである。間欠動作する無線通信装置にデータを送信する場合には、無線通信装置が起床するまでデータが送信できないため通信遅延が発生する。特に大きな低消費電力化のために無線通信装置のスリープ時間を長くすると通信遅延が大きくなる。そのため、間欠動作する無線通信装置を呼び出しボタン盤へ適用した場合に、スリープ時間を長くすると、呼び出しボタン盤とエレベータ制御盤との間の通信が遅延し、ユーザがボタン押下済みであることをユーザに通知するバックライトの点灯等や、エレベータが到着したことをユーザに通知するバックライトの消灯等が遅延する。このようにバックライトの点灯及び消灯が遅れると、ユーザの心理的負荷が高くなる。【０００３】
特許文献１には、ユーザが呼び出しボタンを押下した際の応答性能を向上する構成が開示されている。
また、特許文献２には、エレベータシステムにおける低消費電力化を実現する構成が開示されている。
【先行技術文献】
【特許文献】
【０００４】
【特許文献１】特開２０００−０９５４５４号公報
【特許文献２】特開２０１１−１１６５２７号公報
【発明の概要】
【発明が解決しようとする課題】
【０００５】
特許文献１に記載の技術及び特許文献２に記載の技術は、呼び出しボタンに接続された無線通信装置の低消費電力化についての言及はない。このため、特許文献１に記載の技術及び特許文献２に記載の技術では、呼び出しボタンに接続された無線通信装置の低消費電力化を図れないという課題がある。【０００６】
本発明は、上記の課題を解決することを主な目的とする。すなわち、本発明は、ユーザに心理的負担をかけずに、呼び出しボタンに接続された無線通信装置の低消費電力化を図ることを主な目的とする。
【課題を解決するための手段】
【０００７】
本発明に係る無線通信装置は、
エレベータを呼び出すための呼び出しボタンに接続される無線通信装置であって、
前記呼び出しボタンの押下を検出する呼び出しボタン押下検出部と、
前記呼び出しボタン押下検出部による前記呼び出しボタンの押下の検出まで前記無線通信装置をスリープ状態にし、前記呼び出しボタン押下検出部により前記呼び出しボタンの押下が検出された際に前記無線通信装置を起床状態にし、前記エレベータの到着に対応して行われる処理であるエレベータ到着処理が完了した後に前記無線通信装置をスリープ状態にするスリープ制御部とを有する。
【発明の効果】
【０００８】
本発明では、呼び出しボタンが押下される前とエレベータ到着処理が完了した後に無線通信装置をスリープ状態にする。このため、本発明によれば、ユーザに心理的負担をかけずに、無線通信装置の低消費電力化を図ることができる。
【図面の簡単な説明】
【０００９】
【図１】実施の形態１に係るエレベータ呼び出しボタンに関わるシステムの構成例を示す図。
【図２】実施の形態１に係る呼び出しボタン側の無線通信装置の構成例を示す図。
【図３】実施の形態１に係るエレベータ制御盤側の無線通信機器の構成例を示す図。
【図４】呼び出しボタンとエレベータ制御盤との間の基本的な通信シーケンスを示す図。
【図５】実施の形態１に係る無線通信装置のスリープを伴う通信シーケンスを示す図。
【図６】実施の形態１に係る無線通信装置の動作例を示すフローチャート。
【図７】実施の形態２に係る無線通信装置のスリープを伴う通信シーケンスを示す図。
【図８】実施の形態２に係る無線通信装置の動作例を示すフローチャート。
【図９】実施の形態２に係る無線通信機器の動作例を示すフローチャート。
【図１０】実施の形態３に係る無線通信装置のスリープを伴う通信シーケンスを示す図。
【図１１】実施の形態３に係る無線通信装置の動作例を示すフローチャート。
【図１２】実施の形態３に係る無線通信機器の動作例を示すフローチャート。
【発明を実施するための形態】
【００１０】
以下、本発明の実施の形態について、図を用いて説明する。以下の実施の形態の説明及び図面において、同一の符号を付したものは、同一の部分または相当する部分を示す。
【００１１】
実施の形態１．
＊＊＊構成の説明＊＊＊
図１は、本実施の形態に係るエレベータ呼び出しボタンに関連するシステムの構成例を示す。
本実施の形態に係るエレベータシステムでは、呼び出しボタン側には、呼び出しボタン１、バックライト２及び無線通信装置１０が配置され、エレベータ制御盤側には、エレベータ制御盤３及び無線通信機器２０が配置される。
【００１２】
呼び出しボタン１は、エレベータを呼び出すためのボタンである。機械式の押しボタンでも良いし、液晶等のタッチパネルでも良く、無線通信装置１０に入力される信号は、電気的な信号、例えばパルス信号などでも良いし、メッセージ形式の信号ものでも良い。
バックライト２は、呼び出しボタン１の押下に対し、エレベータ制御盤３に押下が登録されたことをユーザに通知するための応答灯である。そのため、バックライトに限らず液晶表示等でも代替可能である。
【００１３】
無線通信装置１０は、呼び出しボタン１及びバックライト２に有線接続され、また、無線通信機器２０に無線接続されている。
無線通信装置１０は、呼び出しボタン１が押下された際に、ボタン押下通知を無線通信機器２０に送信する。
また、無線通信装置１０は、無線通信機器２０から登録通知を受信した場合に、バックライト２に点灯を指示する。
また、無線通信装置１０は、無線通信機器２０からエレベータ到着通知を受信した場合に、バックライト２に消灯を指示する。
無線通信装置１０で行われる動作は、制御プログラムに相当する。
【００１４】
無線通信機器２０は、エレベータ制御盤３に有線接続され、無線通信装置１０に無線接続されている。
無線通信機器２０は、無線通信装置１０からボタン押下通知を受信した場合に、ボタン押下通知をエレベータ制御盤３に転送する。
また、無線通信機器２０は、エレベータ制御盤３から登録通知を受信した場合に、無線通信装置１０に登録通知を転送する。
また、無線通信機器２０は、エレベータ制御盤３からエレベータ到着通知を受信した場合に、無線通信装置１０にエレベータ到着通知を転送する。
【００１５】
エレベータ制御盤３は、無線通信機器２０からボタン押下通知を受信した場合に、無線通信機器２０に登録通知を送信する。
また、エレベータ制御盤３は、呼び出しボタン１及びバックライト２が配置されているフロアにエレベータが到着する際にエレベータ到着通知を無線通信機器２０に送信する。
【００１６】
図２は、図１に示す無線通信装置１０の構成例を示す。
無線通信装置１０は、ハードウェアとしてプロセッサ１００とメモリ１１０を備えるコンピュータである。
プロセッサ１００は、呼び出しボタン押下検出部１０１、バックライト操作部１０２、信号管理部１０３、無線送信部１０４、無線受信部１０５及びスリープ制御部１０６として動作する。つまり、呼び出しボタン押下検出部１０１、バックライト操作部１０２、信号管理部１０３、無線送信部１０４、無線受信部１０５及びスリープ制御部１０６はプログラムとして実現されている。プロセッサ１００は、呼び出しボタン押下検出部１０１、バックライト操作部１０２、信号管理部１０３、無線送信部１０４、無線受信部１０５及びスリープ制御部１０６を実現するプログラムを実行する。
メモリ１１０は、データ保存部１１１としてデータを保存する。
【００１７】
呼び出しボタン押下検出部１０１は、呼び出しボタン１の押下を検出し、スリープ制御部を起床させ、ボタン押下通知を信号管理部１０３に出力する。具体的には、呼び出しボタン押下検出部１０１は、呼び出しボタンからの起床のための信号を受信し、スリープ制御部を起床させる。その後、ボタン押下通知を呼び出しボタン１から受信する。スリープ制御部が無線通信装置１０全体を起床状態にした後、呼び出しボタン押下検出部１０１は、ボタン押下通知を信号管理部１０３に出力する。ここで、呼び出しボタン押下検出部１０１からの出力が電気的な信号で、メッセージ形式のボタン押下通知でない場合は、ボタン押下検出部がボタン押下通知を生成し、信号管理部１０３に出力する。
呼び出しボタン押下検出部１０１により行われる処理は、呼び出しボタン押下検出処理に相当する。
【００１８】
バックライト操作部１０２は、信号管理部１０３の指示に従って、バックライト２の点灯及び消灯を操作する。
【００１９】
信号管理部１０３は、ボタン押下通知を送信するように無線送信部１０４に指示する。
また、信号管理部１０３は、無線送信部１０４から登録通知を取得した際に、バックライト２の点灯を指示する点灯指示をバックライト操作部１０２に出力する。
また、信号管理部１０３は、無線送信部１０４からエレベータ到着通知を取得した際に、バックライト２の消灯を指示する消灯指示をバックライト操作部１０２に出力する。
【００２０】
無線送信部１０４は、信号管理部１０３の指示に従って、無線通信によりボタン押下通知を無線通信機器２０に送信する。
【００２１】
無線受信部１０５は、無線通信により、登録通知及びエレベータ到着通知を無線通信機器２０から受信する。
【００２２】
なお、本明細書では、エレベータの到着に対応して無線通信装置１０で行われる処理をエレベータ到着処理という。
具体的には、エレベータ到着処理は、無線受信部１０５によりエレベータ到着通知が受信された際の信号管理部１０３からバックライト操作部１０２への消灯指示の出力及びバックライト操作部１０２からバックライト２への消灯指示の出力である。
【００２３】
スリープ制御部１０６は、無線通信装置１０のスリープ制御を行う。
より具体的には、スリープ制御部１０６は、呼び出しボタン押下検出部１０１による呼び出しボタン１の押下の検出まで無線通信装置１０をスリープ状態にする。そして、スリープ制御部１０６は、呼び出しボタン押下検出部１０１により呼び出しボタン１の押下が検出された際に無線通信装置１０を起床状態にする。また、スリープ制御部１０６は、エレベータ到着処理が完了した後に無線通信装置１０をスリープ状態にする。
本実施の形態では、スリープ制御部１０６は、呼び出しボタン１の押下の検出からエレベータ到着処理の完了までの間、無線通信装置１０を起床状態にしておく。
なお、スリープ状態とは、無線通信装置１０の通常動作状態よりも電力消費が軽減される省電力状態である。具体的には、スリープ状態とは、呼び出しボタン押下検出部１０１のみを稼動させ、バックライト操作部１０２、信号管理部１０３、無線送信部１０４、無線受信部１０５、及びスリープ制御部１０６を休止させている状態、いわゆるアイドル状態である。一方、起床状態とは、無線通信装置１０の全ての機能を稼動させている状態である。
スリープ制御部１０６で行われる動作は、スリープ制御処理に相当する。
【００２４】
図３は、図１に示す無線通信機器２０の構成例を示す。
無線通信機器２０は、ハードウェアとしてプロセッサ２００とメモリ２１０を備えるコンピュータである。
プロセッサ２００は、無線受信部２０１、無線送信部２０２、信号管理部２０３、呼び出しボタン押下通知部２０４及びエレベータ到着通知部２０５として動作する。つまり、無線受信部２０１、無線送信部２０２、信号管理部２０３、呼び出しボタン押下通知部２０４及びエレベータ到着通知部２０５はプログラムとして実現されている。プロセッサ２００は、無線受信部２０１、無線送信部２０２、信号管理部２０３、呼び出しボタン押下通知部２０４及びエレベータ到着通知部２０５を実現するプログラムを実行する。
メモリ２１０は、データ保存部２１１としてデータを保存する。
【００２５】
無線受信部２０１は、無線通信により、ボタン押下通知を無線通信装置１０から受信する。無線受信部２０１は、ボタン押下通知を信号管理部２０３に転送する。
【００２６】
無線送信部２０２は、無線通信により、登録通知及びエレベータ到着通知を無線通信装置１０に送信する。
【００２７】
信号管理部２０３は、無線受信部２０１から取得したボタン押下通知を呼び出しボタン押下通知部２０４に転送する。
更に、信号管理部２０３は、エレベータ到着通知部２０５から登録通知及びエレベータ到着通知を取得し、取得した登録通知及びエレベータ到着通知を無線送信部２０２に転送する。
【００２８】
呼び出しボタン押下通知部２０４は、信号管理部２０３から取得したボタン押下通知をエレベータ制御盤３に転送する。
【００２９】
エレベータ到着通知部２０５は、エレベータ制御盤３から登録通知及びエレベータ到着通知を取得し、取得した登録通知及びエレベータ到着通知を信号管理部２０３に転送する。
【００３０】
＊＊＊動作の説明＊＊＊
図４は、呼び出しボタン１とエレベータ制御盤３との間の基本的な通信シーケンスを示す。
呼び出しボタン１とエレベータ制御盤３との間では、伝送方式やプロトコルにかかわらず、一般的に図４に示すような通信シーケンスで通信が行われる。
【００３１】
呼び出しボタン１が押下されると、呼び出しボタン１から無線通信装置１０にボタン押下通知が送信される。無線通信装置１０は、ボタン押下通知を無線通信にて無線通信機器２０に転送する。
無線通信機器２０は、無線通信装置１０から受信したボタン押下通知をエレベータ制御盤３に転送する。
エレベータ制御盤３は、ボタン押下通知を受信すると、エレベータの呼び登録を行う。そして、エレベータ制御盤３は、呼び登録を行ったことを通知する登録通知を無線通信機器２０に送信する。
無線通信機器２０は、エレベータ制御盤３から登録通知を受信し、受信した登録通知を無線通信装置１０に無線通信にて転送する。
無線通信装置１０は、登録通知を無線通信機器２０から受信すると、バックライト２に点灯指示を出力してバックライト２を点灯させる。
また、エレベータが呼び出しボタン１及びバックライト２が配置されているフロアに到着する際に、エレベータ制御盤３がエレベータ到着通知を無線通信機器２０に送信する。
無線通信機器２０は、エレベータ制御盤３からエレベータ到着通知を受信し、受信したエレベータ到着通知を無線通信装置１０に無線通信にて転送する。
無線通信装置１０は、エレベータ到着通知を無線通信機器２０から受信すると、バックライト２に消灯指示を出力してバックライト２を消灯させる。
【００３２】
図５は、本実施の形態に係るエレベータシステムにおける通信シーケンスを示す。
図５では、無線通信装置１０が部分的にスリープしている点が図４と異なる。
【００３３】
呼び出しボタン１が押下されるまでは、無線通信装置１０はスリープ制御部１０６の制御によりスリープ状態にある。
そして、呼び出しボタン１が押下され、呼び出しボタン１から無線通信装置１０にボタン押下通知が送信されると、スリープ制御部１０６の制御により無線通信装置１０は起床する。そして、無線通信装置１０は、ボタン押下通知を無線通信にて無線通信機器２０に転送する。
無線通信装置１０がエレベータ到着通知を無線通信機器２０から受信し、バックライト２を消灯させるまでの手順は図４と同じであるので、バックライト２を消灯させるまでの手順の説明を省略する。
無線通信装置１０がバックライト２を消灯させる処理、すなわち、エレベータ到着処理が完了したら、スリープ制御部１０６の制御により無線通信装置１０は再度スリープ状態に移行する。
このように、本実施の形態に係るエレベータシステムでは、呼び出しボタン１の押下がトリガになって無線通信装置１０はスリープ状態から起床状態に移行する。また、本実施の形態に係るエレベータシステムでは、エレベータ到着通知の受信に伴う消灯指示の送信がトリガになって無線通信装置１０は起床状態からスリープ状態に移行する。
【００３４】
図６は、スリープ制御部１０６の動作例を示すフローチャートである。
【００３５】
スリープ制御部１０６は、呼び出しボタン押下検出部１０１により呼び出しボタン１の押下が検出された場合（ステップＳ１０１でＹＥＳ）に、無線通信装置１０を起床させる（ステップＳ１０２）。
そして、スリープ制御部１０６は、無線通信装置１０の信号管理部１０３及び無線送信部１０４を介してボタン押下通知を無線通信機器２０に送信する（ステップＳ１０３）。
また、スリープ制御部１０６は、エレベータ到着通知が受信され、また、バックライト操作部１０２からバックライト２に消灯通知が出力された場合（ステップＳ１０４でＹＥＳ）、つまり、エレベータ到着処理が完了した場合に、無線通信装置１０をスリープ状態に移行させる（ステップＳ１０５）。
なお、図６では、無線通信機器２０からの登録通知の受信及びバックライト２への点灯通知の出力の手順は、本実施の形態に係る無線通信装置１０の動作の本質部分ではないので、記載を省略している。
【００３６】
無線通信では外部環境によって通信品質が不安定になる可能性があるため、スリープ制御部１０６は無線通信装置１０を定期的に起床させて、キープアライブ通信を実行させてもよい。
また、本実施の形態に係る無線通信機器２０の動作は、図４に示す従来の無線通信機器の動作と同じであるため、無線通信機器２０の動作を説明するフローチャートは省略する。
エレベータシステムの機能によっては、呼び出しボタン側ではなく、乗降口に応答灯等が付く場合がある。この場合は、呼び出しボタン側でエレベータ到着に伴う処理を行う必要がないため省略しても良い。
【００３７】
＊＊＊実施の形態の効果の説明＊＊＊
本実施の形態によれば、通信が必要なタイミングでのみ無線通信装置を動作させることができ、低消費電力化が可能となる。また、通信が必要な状況では無線通信装置はスリープしないため、通信遅延を抑えることができ、ユーザに精神的負担をかけない。
【００３８】
実施の形態２．
実施の形態１では、呼び出しボタンの押下からエレベータの到着までの時間が長い場合は、無線通信装置１０の消費電力が大きくなってしまう可能性がある。そこで、実施の形態２では、呼び出しボタンの押下からエレベータの到着までの間も無線通信装置１０をスリープ状態にして消費電力の低減を図る。
【００３９】
＊＊＊構成の説明＊＊＊
エレベータシステムの全体構成、無線通信装置１０のハードウェア構成及び機能構成、無線通信機器２０のハードウェア構成及び機能構成は、実施の形態１で説明したものと同じである。
以下では、主に実施の形態１との差異を説明する。以下で説明していない事項は実施の形態１と同じである。
【００４０】
＊＊＊動作の説明＊＊＊
図７は、本実施の形態に係るエレベータシステムにおける通信シーケンスを示す。
本実施の形態では、無線通信装置１０はボタン押下通知を無線通信機器２０に送信した後にスリープ制御部１０６の制御によりスリープ状態に移行する。
また、無線通信装置１０は、スリープ制御部１０６の制御により一定周期で起床する。スリープ制御部１０６は、無線通信装置１０を起床状態にする度に無線通信装置１０が起床状態であることを通知する起床通知を無線通信機器２０に送信する。
無線通信機器２０は無線通信装置１０から起床通知を受信した場合のみ無線通信装置１０に登録通知又はエレベータ到着通知を送信することができる。
そして、スリープ制御部１０６は、起床通知に応答して無線通信機器２０から送信された通知に対応して行われる処理が完了するまで無線通信装置１０を起床状態にしておく。
以下にて、図７に示す通信シーケンスを説明する。
【００４１】
呼び出しボタン１が押下されるまでは、無線通信装置１０はスリープ制御部１０６の制御によりスリープ状態にある。
そして、呼び出しボタン１が押下され、呼び出しボタン１から無線通信装置１０にボタン押下通知が送信されると、スリープ制御部１０６の制御により無線通信装置１０は起床する。そして、無線通信装置１０は、ボタン押下通知を無線通信にて無線通信機器２０に転送する。
そして、スリープ制御部１０６の制御により無線通信装置１０はスリープ状態に移行する。
無線通信機器２０は、図５の場合と同様に、無線通信装置１０に登録通知を送信する必要があるが、無線通信装置１０から起床通知を受信するまでは登録通知の送信を保留する。
スリープ状態の開始から規定時間が経過したときにスリープ制御部１０６の制御により無線通信装置１０は起床する。そして、スリープ制御部１０６の制御により無線通信装置１０は無線通信機器２０に起床通知を送信する。
無線通信機器２０は、無線通信装置１０から起床通知を受信したので、登録通知を無線通信装置１０に送信する。
無線通信装置１０は、登録通知を無線通信機器２０から受信するとバックライト２に点灯指示を送信する。起床通知に応答して無線通信機器２０から送信された登録通知に対応する処理であるバックライト２への点灯指示の送信が完了した後、スリープ制御部１０６の制御により無線通信装置１０はスリープ状態に移行する。
スリープ状態の開始から規定時間が経過したときにスリープ制御部１０６の制御により無線通信装置１０は起床し、無線通信機器２０に起床通知を送信する。ここでは、無線通信機器２０からいずれのデータも受信しないので、無線通信装置１０はスリープ制御部１０６の制御により再度スリープ状態に移行する。
無線通信機器２０はエレベータ制御盤３からエレベータ到着通知を受信するが、無線通信装置１０から起床通知を受信していないので、エレベータ到着通知の送信を保留する。
スリープ状態の開始から規定時間が経過したときにスリープ制御部１０６の制御により無線通信装置１０は起床し、無線通信機器２０に起床通知を送信する。
無線通信機器２０は、無線通信装置１０から起床通知を受信したので、エレベータ到着通知を無線通信装置１０に送信する。
無線通信装置１０がエレベータ到着通知を無線通信機器２０から受信し、バックライト２に消灯指示を送信する。
起床通知に応答して無線通信機器２０から送信されたエレベータ到着通知に対応する処理であるバックライト２への消灯指示の送信が完了した後、スリープ制御部１０６の制御により無線通信装置１０は再度スリープ状態に移行する。
【００４２】
図８は、本実施の形態に係るスリープ制御部１０６の動作例を示すフローチャートである。
【００４３】
ステップＳ１０１、ステップＳ１０２、ステップＳ１０３及びステップＳ１０４は図６に示したものと同じであるため、説明を省略する。
【００４４】
無線通信機器２０にボタン押下通知を送信した後、スリープ制御部１０６は無線通信装置１０をスリープ状態に移行させる（ステップＳ１０５−１）。
【００４５】
ステップＳ１０５−１のスリープ状態の開始から規定時間が経過した後に、スリープ制御部１０６は無線通信装置１０を起床させ、起床通知を信号管理部１０３及び無線送信部１０４を介して無線通信機器２０に送信する（ステップＳ１２１）。
【００４６】
エレベータ到着通知の受信によりバックライト２に消灯通知が送信された後に、スリープ制御部１０６は無線通信装置１０をスリープ状態に移行させる（ステップＳ１０５−２）。
【００４７】
図９は、本実施の形態に係る無線通信機器２０の動作例を示すフローチャートである。
【００４８】
無線受信部２０１が無線通信装置１０からボタン押下通知を受信した場合（ステップＳ２０１でＹＥＳ）に、信号管理部２０３は呼び出しボタン押下通知部２０４からエレベータ押下通知をエレベータ制御盤３に送信する（ステップＳ２０２）。
ボタン押下通知を受信しない場合（ステップＳ２０１でＮＯ）は、信号管理部２０３は、ステップＳ２０３に移行する。
【００４９】
また、無線受信部２０１が無線通信装置１０から起床通知を受信した場合（ステップＳ２０３でＹＥＳ）に、信号管理部２０３は、登録通知を無線通信装置１０に送信するか否かを判定する（ステップＳ２０４）。
登録通知を無線通信装置１０に送信する場合（ステップＳ２０４でＹＥＳ）は、信号管理部２０３は無線送信部２０２から登録通知を無線通信装置１０に送信する（ステップＳ２０５）。
一方、登録通知を無線通信装置１０に送信しない場合（ステップＳ２０４でＮＯ）は、信号管理部２０３はエレベータ到着通知を送信するか否かを判定する（ステップＳ２０６）。
エレベータ到着通知を無線通信装置１０に送信する場合（ステップＳ２０６でＹＥＳ）は、信号管理部２０３は無線送信部２０２からエレベータ到着通知を無線通信装置１０に送信する（ステップＳ２０７）。
一方、エレベータ到着通知を無線通信装置１０に送信しない場合（ステップＳ２０６でＮＯ）は、信号管理部２０３は、ステップＳ２０１に移行する。
また、ステップＳ２０３において起床通知を受信しない場合は、信号管理部２０３はステップＳ２０１に移行する。
【００５０】
＊＊＊実施の形態の効果の説明＊＊＊
以上のように、本実施の形態では、実施の形態１に示す構成を変えることなく、実施の形態１よりも低消費電力化を図ることができる。
【００５１】
実施の形態３．
実施の形態２では、一定周期ごとにしか無線通信機器２０は無線通信装置１０と通信することができない。このため、無線通信機器２０から無線通信装置１０への登録通知又はエレベータ到着通知の送信が最大で周期分遅延してしまう。そこで、実施の形態３では、無線通信装置１０は、次に無線通信機器２０から通知が送信されるまでの時間の間のみスリープする。
【００５２】
＊＊＊構成の説明＊＊＊
エレベータシステムの全体構成、無線通信装置１０のハードウェア構成及び機能構成、無線通信機器２０のハードウェア構成及び機能構成は、実施の形態１で説明したものと同じである。
以下では、主に実施の形態１との差異を説明する。以下で説明していない事項は実施の形態１と同じである。
【００５３】
＊＊＊動作の説明＊＊＊
図１０は、本実施の形態に係るエレベータシステムにおける通信シーケンスを示す。
本実施の形態では、無線通信装置１０はボタン押下通知を無線通信機器２０に送信した後にスリープ制御部１０６の制御によりスリープ時間確認を無線通信機器２０を経由してエレベータ制御盤３に送信する。スリープ時間確認は、スリープ時間を無線通信機器２０に確認するためのメッセージである。スリープ時間は、無線通信装置１０をスリープ状態にしておくことが可能な時間である。
エレベータ制御盤３は、スリープ時間確認を無線通信装置１０から受信すると、スリープ時間を計算し、スリープ時間を通知するスリープ時間通知を無線通信機器２０を経由して無線通信装置１０に送信する。
無線通信装置１０は無線通信機器２０を経由してエレベータ制御盤３からスリープ時間通知を受信する。スリープ制御部１０６は、スリープ時間通知で通知されたスリープ時間が閾値未満である場合に、無線通信装置１０をスリープ状態にせずに起床状態のままにしておく。一方、スリープ時間が閾値以上である場合は、スリープ制御部１０６は、通知されたスリープ時間の間、無線通信装置１０をスリープ状態にしておく。そして、スリープ時間が経過した際にスリープ制御部１０６は、無線通信装置１０を起床状態にする。
以下にて、図１０に示す通信シーケンスを説明する。
【００５４】
呼び出しボタン１が押下されるまでは、無線通信装置１０はスリープ制御部１０６の制御によりスリープ状態にある。
そして、呼び出しボタン１が押下され、呼び出しボタン１から無線通信装置１０にボタン押下通知が送信されると、スリープ制御部１０６の制御により無線通信装置１０は起床する。そして、無線通信装置１０は、ボタン押下通知を無線通信にて無線通信機器２０に転送する。
また、スリープ制御部１０６がスリープ時間確認を無線通信機器２０に送信する。
無線通信機器２０は、スリープ時間確認を受信し、受信したスリープ時間確認をエレベータ制御盤３に転送する。エレベータ制御盤３はスリープ時間を確認する。この段階では、エレベータ制御盤３は登録通知を無線通信装置１０に送信するまでの時間をスリープ時間として算出する。そして、エレベータ制御盤３は、スリープ時間通知を無線通信機器２０に送信する。無線通信機器２０はエレベータ制御盤３からスリープ時間通知を受信し、受信したスリープ時間通知を無線通信装置１０に送信する。
無線通信装置１０はスリープ時間通知を受信する。スリープ制御部１０６は、スリープ時間通知で通知されたスリープ時間を閾値と比較する。この段階では、スリープ時間は閾値未満であるため、スリープ制御部１０６は無線通信装置１０を起床状態のままにしておく。
無線通信機器２０は、エレベータ制御盤３から登録通知を受信し、受信した登録通知を無線通信装置１０に送信する。
無線通信装置１０は、登録通知を無線通信機器２０から受信するとバックライト２に点灯指示を送信する。バックライト２に点灯指示を送信した後に、スリープ制御部１０６は無線通信機器２０にスリープ時間確認を送信する。
無線通信機器２０は、スリープ時間確認を受信し、受信したスリープ時間確認をエレベータ制御盤３に転送する。エレベータ制御盤３はスリープ時間を確認する。この段階では、エレベータ制御盤３はエレベータ到着通知を無線通信装置１０に送信するまでの時間をスリープ時間として算出する。そして、エレベータ制御盤３は、スリープ時間通知を無線通信機器２０に送信する。無線通信機器２０はエレベータ制御盤３からスリープ時間通知を受信し、受信したスリープ時間通知を無線通信装置１０に送信する。
無線通信装置１０はスリープ時間通知を受信する。スリープ制御部１０６は、スリープ時間通知で通知されたスリープ時間を閾値と比較する。この段階では、スリープ時間は閾値以上であるため、スリープ制御部１０６は無線通信装置１０をスリープ状態に移行させる。
スリープ時間通知の受信からスリープ時間が経過したときにスリープ制御部１０６は無線通信装置１０を起床させる。
無線通信機器２０は、無線通信装置１０から起床通知を受信したので、エレベータ到着通知を無線通信装置１０に送信する。
無線通信装置１０がエレベータ到着通知を無線通信機器２０から受信し、バックライト２に消灯指示を送信する。
その後、スリープ制御部１０６が無線通信機器２０にスリープ時間確認を送信する。スリープ時間確認の送信以降の動作は、前述のとおりである。
【００５５】
図１１は、本実施の形態に係るスリープ制御部１０６の動作例を示すフローチャートである。
【００５６】
ステップＳ１０１、ステップＳ１０３、ステップＳ１０４及びステップＳ１０５は図８に示したものと同じであるため、これらの説明を省略する。また、ステップＳ１０２−１及びステップＳ１０２−２も図８のステップＳ１０２と同じであるため、これらの説明を省略する。
【００５７】
無線通信機器２０にボタン押下通知を送信した後、スリープ制御部１０６は無線送信部１０４を介してスリープ時間確認を無線通信機器２０に送信する（ステップＳ１３１）。
【００５８】
無線通信機器２０からスリープ時間通知を受信した場合（ステップＳ１３２でＹＥＳ）に、スリープ制御部１０６はスリープ時間通知で通知されたスリープ時間が閾値以上であるか否かを判定する（ステップＳ１３３）。
スリープ時間が閾値以上である場合（ステップＳ１３３でＹＥＳ）は、スリープ制御部１０６は、スリープ時間通知の受信からスリープ時間の間、無線通信装置１０をスリープ状態にする（ステップＳ１３４）。
一方で、スリープ時間が閾値未満である場合は、スリープ制御部１０６は無線通信装置１０を起床状態のままにし、ステップＳ１０４に移行する。
【００５９】
図１２は、本実施の形態に係る無線通信機器２０の動作例を示すフローチャートである。
【００６０】
ステップＳ２０１、ステップＳ２０２、ステップＳ２０４、ステップＳ２０５、ステップＳ２０６及びステップＳ２０７は図９に示すものと同じであるため、これらの説明を省略する。
【００６１】
無線受信部２０１が無線通信装置１０からスリープ時間確認を受信した場合（ステップＳ２１１でＹＥＳ）に、信号管理部２０３は呼び出しボタン押下通知部２０４を介してスリープ時間確認をエレベータ制御盤３に送信し、また、エレベータ到着通知部２０５を介してエレベータ制御盤３からスリープ時間通知を受信する（ステップＳ２１２）。
そして、信号管理部２０３は、無線送信部２０２を介してスリープ時間通知を無線通信装置１０に送信する（ステップＳ２１３）。
一方、無線受信部２０１が無線通信装置１０からスリープ時間確認を受信しない場合（ステップＳ２１１でＮＯ）は、信号管理部２０３はステップＳ２０１に移行する。
【００６２】
＊＊＊実施の形態の効果の説明＊＊＊
以上のように、本実施の形態では、実施の形態２に示す構成を変えることなく、実施の形態２よりも通信遅延を削減することができる。
【００６３】
＊＊＊ハードウェア構成の説明＊＊＊
最後に、無線通信装置１０及び無線通信機器２０のハードウェア構成の補足説明を行う。
プロセッサ１００及びプロセッサ２００は、プロセッシングを行うＩＣ（Ｉｎｔｅｇｒａｔｅｄ  Ｃｉｒｃｕｉｔ）である。
プロセッサ１００及びプロセッサ２００は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
メモリ１１０及びメモリ２１０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
【００６４】
メモリ１１０及びメモリ２１０には、ＯＳ（Ｏｐｅｒａｔｉｎｇ  Ｓｙｓｔｅｍ）も記憶されている。
そして、ＯＳの少なくとも一部がプロセッサ１００又はプロセッサ２００により実行される。
プロセッサ１００はＯＳの少なくとも一部を実行しながら、呼び出しボタン押下検出部１０１、バックライト操作部１０２、信号管理部１０３、無線送信部１０４及び無線受信部１０５の機能を実現するプログラムを実行する。
プロセッサ１００がＯＳを実行することで、無線通信装置１０内でタスク管理、メモリ管理、ファイル管理、通信制御等が行われる。
プロセッサ２００はＯＳの少なくとも一部を実行しながら、無線受信部２０１、無線送信部２０２、信号管理部２０３、呼び出しボタン押下通知部２０４及びエレベータ到着通知部２０５の機能を実現するプログラムを実行する。
プロセッサ２００がＯＳを実行することで、無線通信機器２０内でタスク管理、メモリ管理、ファイル管理、通信制御等が行われる。
また、呼び出しボタン押下検出部１０１、バックライト操作部１０２、信号管理部１０３、無線送信部１０４及び無線受信部１０５の処理の結果を示す情報やデータや信号値や変数値が、メモリ１１０、プロセッサ１００内のレジスタ及びキャッシュメモリの少なくともいずれかに記憶される。
また、呼び出しボタン押下検出部１０１、バックライト操作部１０２、信号管理部１０３、無線送信部１０４及び無線受信部１０５の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
同様に、無線受信部２０１、無線送信部２０２、信号管理部２０３、呼び出しボタン押下通知部２０４及びエレベータ到着通知部２０５の処理の結果を示す情報やデータや信号値や変数値が、メモリ２１０、プロセッサ２００内のレジスタ及びキャッシュメモリの少なくともいずれかに記憶される。
また、無線受信部２０１、無線送信部２０２、信号管理部２０３、呼び出しボタン押下通知部２０４及びエレベータ到着通知部２０５の機能を実現するプログラムは、磁気ディスク、フレキシブルディスク、光ディスク、コンパクトディスク、ブルーレイ（登録商標）ディスク、ＤＶＤ等の可搬記憶媒体に記憶されてもよい。
【００６５】
また、呼び出しボタン押下検出部１０１、バックライト操作部１０２、信号管理部１０３、無線送信部１０４、無線受信部１０５、無線受信部２０１、無線送信部２０２、信号管理部２０３、呼び出しボタン押下通知部２０４及びエレベータ到着通知部２０５の「部」を、「回路」又は「工程」又は「手順」又は「処理」に読み替えてもよい。
また、無線通信装置１０及び無線通信機器２０は、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）といった電子回路により実現されてもよい。
なお、プロセッサ及び上記の電子回路を総称してプロセッシングサーキットリーともいう。
【符号の説明】
【００６６】
１  呼び出しボタン、２  バックライト、３  エレベータ制御盤、１０  無線通信装置、２０  無線通信機器、１００  プロセッサ、１０１  呼び出しボタン押下検出部、１０２  バックライト操作部、１０３  信号管理部、１０４  無線送信部、１０５  無線受信部、１０６  スリープ制御部、１１０  メモリ、１１１  データ保存部、２００  プロセッサ、２０１  無線受信部、２０２  無線送信部、２０３  信号管理部、２０４  呼び出しボタン押下通知部、２０５  エレベータ到着通知部、２１０  メモリ、２１１  データ保存部。
【図１】
2018116450.tif 000003
【図２】
2018116450.tif 000004
【図３】
2018116450.tif 000005
【図４】
2018116450.tif 000006
【図５】
2018116450.tif 000007
【図６】
2018116450.tif 000008
【図７】
2018116450.tif 000009
【図８】
2018116450.tif 000010
【図９】
2018116450.tif 000011
【図１０】
2018116450.tif 000012
【図１１】
2018116450.tif 000013
【図１２】
2018116450.tif 000014
【国際調査報告】
2018116450.tif 000015
2018116450.tif 000016
2018116450.tif 000017
2018116450.tif 000018